【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
コイル巻き線を周状に巻いて中空円柱状に形成されている励磁コイルと、永久磁石と、ヨークと、該ヨークに対してスライド移動する可動体と、を有し、
前記可動体と前記ヨークは、前記励磁コイルの内外を通る周状の磁路を構成するように配設され、前記ヨークは、前記磁路中にヨーク磁極面を有し、前記可動体は、前記磁路中に可動体磁極面を有し、前記ヨーク磁極面と前記可動体磁極面とは、互いに、前記可動体対向するように配設され、
前記励磁コイルによって励磁した際には、前記磁路を磁束が通過し、前記ヨーク磁極面と前記可動体磁極面との間に磁気的吸引力が発生し、前記可動体が前記ヨーク磁極面と接近する方向にスライド移動する電磁石装置であって、
前記ヨークと前記可動体は、前記磁路中に、前記ヨーク磁極面と前記可動体磁極面とを磁束が通過し、前記可動体を前記ヨーク磁極面に接近させる方向に吸引力が生じるように対向する第２可動体磁極面と第２ヨーク磁極面とを有することを特徴とする電磁石装置。
【請求項２】
前記可動体は、可動体本体と、該可動体本体から突出するスライド軸と、を有し、
該スライド軸をスライド可能に支持する軸受けを前記ヨークの前記磁路中に設けたことを特徴とする請求項１に記載の電磁石装置。
【請求項３】
前記ヨークと前記可動体は、前記磁路中に、前記ヨーク磁極面と前記可動体磁極面とを磁束が通過し、前記可動体を前記ヨーク磁極面に遠隔させる方向に吸引力が生じるように対向するヨーク引き外し磁極面と可動体引き外し磁極面とを有し、
前記永久磁石は、前記磁路における主磁束の磁路中であって、前記永久磁石の向きが、前記ヨーク引き外し磁極面と前記可動体引き外し磁極面において、可動体投入時に励磁コイルが発生する磁束と同一方向の磁束となるように設けたことを特徴とする請求項１または２に記載の電磁石装置。
【手続補正２】
【補正対象書類名】明細書
【補正対象項目名】００１０
【補正方法】変更
【補正の内容】
【００１０】
上記目的を達成するために、本発明に係る電磁石装置は、コイル巻き線を周状に巻いて中空円柱状に形成されている励磁コイルと、永久磁石と、ヨークと、該ヨークに対してスライド移動する可動体と、を有し、前記可動体と前記ヨークは、前記励磁コイルの内外を通る周状の磁路を構成するように配設され、前記ヨークは、前記磁路中にヨーク磁極面を有し、前記可動体は、前記磁路中に可動体磁極面を有し、前記ヨーク磁極面と前記可動体磁極面とは、互いに、前記可動体対向するように配設され、前記励磁コイルによって励磁した際には、前記磁路を磁束が通過し、前記ヨーク磁極面と前記可動体磁極面との間に磁気的吸引力が発生し、前記可動体が前記ヨーク磁極面と接近する方向にスライド移動する電磁石装置であって、前記ヨークと前記可動体は、前記磁路中に、前記ヨーク磁極面と前記可動体磁極面とを磁束が通過し、前記可動体を前記ヨーク磁極面に接近させる方向に吸引力が生じるように対向する第２可動体磁極面と第２ヨーク磁極面とを有することを特徴とする。
【手続補正３】
【補正対象書類名】明細書
【補正対象項目名】００１２
【補正方法】変更
【補正の内容】
【００１２】
また、本発明に係る電磁石装置は、上記構成に加えて、前記ヨークと前記可動体は、前記磁路中に、前記ヨーク磁極面と前記可動体磁極面とを磁束が通過し、前記可動体を前記ヨーク磁極面に遠隔させる方向に吸引力が生じるように対向するヨーク引き外し磁極面と可動体引き外し磁極面とを有し、前記永久磁石は、前記磁路における主磁束の磁路中であって、前記永久磁石の向きが、前記ヨーク引き外し磁極面と前記可動体引き外し磁極面において、可動体投入時に励磁コイルが発生する磁束と同一方向の磁束となるように設けたことを特徴とする。
【手続補正４】
【補正対象書類名】明細書
【補正対象項目名】００３０
【補正方法】変更
【補正の内容】
【００３０】
図６は、本実施の形態の電磁石装置１における可動体４の引き外し状態を示している。可動体４の引き外し状態は、図において可動体４が下方に移動された状態であり、可動体４の可動体引き外し磁極面４３ａとヨーク引き外し磁極面３２ｂとが第２軸受５２を介して接触した状態となっている。また、この状態では、スライド軸４ｂが、第１端部ヨーク３１のスライド軸４ｂ用孔から抜去された状態となっている。可動体４は、重力によって、或いは図示せぬ付勢部材によって、図において下方に付勢され、引き外し状態を保持している。
【手続補正５】
【補正対象書類名】明細書
【補正対象項目名】００３１
【補正方法】変更
【補正の内容】
【００３１】
図４に示す投入状態において引き外し用コイル２２に電流を流すと、図５に示すように、引き外し用コイル２２によって生じる磁束が、ヨーク引き外し磁極面３２ｂ、可動体引き外し磁極面４３ａ、可動体４の引き外し部４３、投入部４１、中ヨーク３４、側部ヨーク３３、第２端部ヨーク３２を一巡する磁路４０３を通過する。そうすると、ヨーク引き外し磁極面３２ｂと可動体引き外し磁極面４３ａとの間に吸引力が生じ、この吸引力と付勢部材等による付勢力が、投入状態の保持する永久磁石５３の磁力による第１ヨーク投入磁極面３５ａと第１可動体投入磁極面４１ａとの間の吸引力と第２可動体投入磁極面４２ａと中ヨーク投入磁極面３４ａとの間の吸引力より大きくなると、ヨーク引き外し磁極面３２ｂと可動体引き外し磁極面４３ａと接触するまで移動し、引き外し状態となる。
【手続補正６】
【補正対象書類名】明細書
【補正対象項目名】００４６
【補正方法】変更
【補正の内容】
【００４６】
図１０に示す投入状態において投入・引き外し用コイル２３に電流を流すと、図１１に示すように、投入・引き外し用コイル２３によって生じる磁束が、永久磁石５４の磁束による、コイル内ヨーク３５、第１ヨーク投入磁極面３５ａ、第１可動体投入磁極面４１ａ、可動体４の投入部４１、フランジ部４２、第２可動体投入磁極面４２ａ、中ヨーク投入磁極面３４ａ、中ヨーク３４、側部ヨーク３３、第１端部ヨーク３１を一巡する磁路４０５を打ち消す方向に一巡する磁路４０６を通過する。投入・引き外し用コイル２３による磁束と永久磁石５４による磁束が打ち消し合い、吸引力が付勢部材の付勢力より小さくなると、可動体４はヨーク引き外し磁極面３２ｂと可動体引き外し磁極面４３ａと接触するまで移動し、引き外し状態となる。
【手続補正７】
【補正対象書類名】明細書
【補正対象項目名】００４８
【補正方法】変更
【補正の内容】
【００４８】
付勢部材による力および可動体引き外し磁極面４３ａとヨーク引き外し磁極面３２ｂとの間の吸引力が、第１ヨーク投入磁極面３５ａと第１可動体投入磁極面４１ａとの間の吸引力より大きい間は、可動体４の移動が一時保留される。この間に投入・引き外し用コイル２３に更に電流を流し、磁路４０７，４０７ｂにおいて磁気飽和がおこることにより、第１ヨーク投入磁極面３５ａと第１可動体投入磁極面４１ａとの間の吸引力が、付勢部材による力および可動体引き外し磁極面４３ａとヨーク引き外し磁極面３２ｂとの間の吸引力より大きくなると、可動体４が上方に、即ち投入・引き外し用コイル２３内に吸引される。可動体４が上方に移動するにつれて可動体引き外し磁極面４３ａとヨーク引き外し磁極面３２ｂとの間の空気ギャップによる磁気抵抗が大きくなり、可動体引き外し磁極面４３ａとヨーク引き外し磁極面３２ｂとの間の吸引力は小さくなる。